(57)【要約】【課題】重要なキーワードを含んで自動的に設定された録り逃したくない自動予約番組と、ユーザの操作によって録画予約が設定された番組とを同時に録画することが出来ない場合であっても、自動予約番組を録画すること。【解決手段】外部装置から複数の番組情報を含む電子番組表データ、並びに予め設定されたキーワードおよび前記キーワードに対応する優先度を含む自動予約設定に基づいて録画の予約が行われた自動予約番組と、操作信号に応じて行われた予約および優先度の設定が行われた手動予約番組との録画予約時間が重なって、前記自動予約番組と前記手動予約番組とを同時に録画することが出来ない場合、前記優先度に応じて前記自動予約番組および前記手動予約番組の一方を設定された時間に録画する番組として選択する。【選択図】図８
2006324777.tif 000002
【特許請求の範囲】
【請求項１】
放送信号を受信し、受信した放送信号を復調して映像音声信号を出力するチューナ部と、
前記チューナ部からの前記映像音声信号を録画する録画部と、
キーワードおよび前記キーワードに対応する優先度を含む自動予約設定を記憶する自動予約設定記憶部と、
複数の番組の番組情報を含む電子番組表データを取得する番組情報取得部と、
前記番組情報取得部によって取得された電子番組表データから前記キーワードに対応する番組情報を有する番組を検索し、検索された自動予約番組の録画の予約を行う自動予約設定部と、
操作信号に応じて手動予約番組の予約の設定および優先度の設定を行う手動予約設定部と、
自動予約設定部および手動予約設定部で予約が行われた予約設定を保存する予約設定保存部と、
前記自動予約設定部および前記手動予約設定部で設定された２つの番組の予約時間が重なって予約された番組の録画が不可能な場合に、前記優先度に応じて前記自動予約設定部および前記手動予約設定部で設定された番組の一方を録画する番組として選択する予約設定確認部と
を具備することを特徴とする放送録画装置。
【請求項２】
前記手動予約番組の優先度が前記自動予約番組の優先度より高い場合、前記予約設定確認部は、前記自動予約番組の予約を取り消すことを特徴とする請求項１記載の放送録画装置。
【請求項３】
前記手動予約設定部で予約された番組の優先度が前記自動予約設定部で予約された番組の優先度と同じ、或いは低い場合、
前記予約設定確認部は、前記自動予約設定部で予約された番組の再放送の有無を前記電子番組表データから検索し、前記自動予約番組の再放送が有る場合、前記自動予約番組の予約を取り消し、前記自動予約番組の再放送の録画の予約を設定することを特徴とする請求項１記載の放送録画装置。
【請求項４】
前記自動予約番組の再放送が無い場合、
前記予約設定確認部は、前記手動予約番組の再放送の有無を前記電子番組表データから検索し、前記手動予約番組の再放送が有る場合、前記手動予約番組の予約を取り消し、前記手動予約番組の再放送の録画の予約を設定することを特徴とする請求項３記載の放送録画装置。
【請求項５】
前記予約設定確認部は、前記手動予約番組の予約を取り消し、前記手動予約番組の再放送の録画の予約を設定したことを通知することを特徴録る請求項４記載の放送録画装置。
【請求項６】
前記手動予約番組の再放送が無い場合、
前記予約設定確認部は、前記手動予約番組の予約を取り消すことを特徴とする請求項４記載の放送録画装置。
【請求項７】
前記予約設定確認部は、前記手動予約番組の予約を取り消したことを通知することを特徴とする請求項６記載の放送録画装置。
【請求項８】
前記手動予約設定部または前記自動予約設定部で設定された対象番組の録画中に、前記対象番組の放映終了時間が延長されたことを通知する延長情報を受信し、受信された延長情報を前記予約設定確認部に供給する情報受信部を更に具備し、
前記予約設定確認部は、前記対象番組、および前記対象番組の放映時間と少なくとも一部が重なる重複番組の両方の番組を同時に録画することが出来ない場合に、前記延長情報、予約順序、および優先度の少なくとも一つに基づいて対象番組、および重複番組の少なくとも一方の番組を録画することを選択することを特徴とする請求項１記載の放送録画装置。
【請求項９】
対象番組の放映時間が変更されたことを通知する時間変更情報を受信し、受信された延長情報を前記予約設定確認部に供給する情報受信部を更に具備し、
前記予約設定確認部は、前記対象番組、および前記対象番組の放映時間と少なくとも一部が重なる重複番組の両方の番組を同時に録画することが出来ない場合に、録画開始時間、予約順序、および優先度の少なくとも一つに基づいて対象番組、および重複番組の少なくとも一方の番組を録画することを選択することを特徴とする請求項１記載の放送録画装置。
【請求項１０】
外部装置から複数の番組情報を含む電子番組表データ、並びに予め設定されたキーワードおよび前記キーワードに対応する優先度を含む自動予約設定に基づいて録画の予約が行われた自動予約番組と、操作信号に応じて行われた予約および優先度の設定が行われた手動予約番組との録画予約時間が重なった場合、前記自動予約番組と前記手動予約番組とを同時に録画できるか判定するステップと、
同時に前記自動予約番組と前記手動予約番組とを録画することが出来ない場合、前記優先度に応じて前記自動予約番組および前記手動予約番組の一方を設定された時間に録画する番組として選択するステップとを含むことを特徴とする放送録画方法。
【請求項１１】
前記手動予約番組の優先度が前記自動予約番組の優先度より高い場合、前記自動予約番組の予約を取り消すステップを含むことを特徴とする請求項１０記載の放送録画方法。
【請求項１２】
前記手動予約設定部で予約された番組の優先度が前記自動予約設定部で予約された番組の優先度と同じ、或いは低い場合、
前記自動予約設定部で予約された番組の再放送の有無を前記電子番組表データから検索するステップと、
前記自動予約番組の再放送が有る場合、前記自動予約番組の予約を取り消し、前記自動予約番組の再放送の録画の予約を設定するステップとを更に含むことを特徴とする請求項１０記載の放送録画方法。
【請求項１３】
前記自動予約番組の再放送が無い場合、
前記手動予約番組の再放送の有無を前記電子番組表データから検索するステップと、
前記手動予約番組の再放送が有る場合、前記手動予約番組の予約を取り消し、前記手動予約番組の再放送の録画の予約を設定するステップを含むことを特徴とする請求項１２記載の放送録画方法。
【請求項１４】
前記手動予約番組の予約を取り消し、前記手動予約番組の再放送の録画の予約を設定したことを通知するステップを更に含むことを特徴とする請求項１３記載の放送録画方法。
【請求項１５】
前記手動予約番組の再放送が無い場合、
前記手動予約番組の予約を取り消すステップを含むことを特徴とする請求項１３記載の放送録画方法。
【請求項１６】
前記手動予約番組の予約を取り消したことを通知するステップ更に含むことを特徴とする請求項１５記載の放送録画方法。
【請求項１７】
前記手動予約設定部または前記自動予約設定部で設定された対象番組の録画中に、前記対象番組の放映終了時間が延長されたことを通知する延長情報を受信した場合、
前記対象番組、および前記対象番組の放映時間と少なくとも一部が重なる重複番組の両方の番組を同時に録画することが出来るか判定するステップと、
同時に録画することが出来ない場合に、前記延長情報、予約順序、および優先度の少なくとも一つに基づいて対象番組、および重複番組の少なくとも一方の番組を録画するステップとを更に含むことを選択することを特徴とする請求項１０記載の放送録画方法。
【請求項１８】
対象番組の放映時間が変更されたことを通知する時間変更情報を受信した場合、
前記対象番組、および前記対象番組の放映時間と少なくとも一部が重なる重複番組の両方の番組を同時に録画することが出来るか判定するステップと、
同時に録画することが出来ない場合に、録画開始時間、予約順序、および優先度の少なくとも一つに基づいて対象番組、および重複番組の少なくとも一方の番組を録画することを選択するよう選択するステップとを更に含むことを特徴とする請求項１０記載の放送録画方法。
【発明の詳細な説明】
【技術分野】
【０００１】
本発明は、受信された電子番組表データとキーワードに基づいて自動的に放映番組を録画することが可能な放送録画装置及び放送録画方法に関する。
【背景技術】
【０００２】
近年、放送電波に番組情報を含む電子番組表データを重畳させ、放映番組を録画する装置で電子番組表データを表示させると共に、ユーザの操作によって選択された番組の録画の予約を行う技術が発展している。
【０００３】
近年では、ユーザが設定したキーワードに該当する番組を検索するシステムも考案されている（特許文献１）。さらには、検索の結果、キーワードを含む番組を自動的に録画予約の設定を行う装置も普及している。
【特許文献１】特開平７−１６０７３２号公報
【発明の開示】
【発明が解決しようとする課題】
【０００４】
自動的に予約を行う装置では、自動予約の設定より、手動予約の設定を優先している。そのため、どうしても見たい番組、しかしいつ放送するかわからない番組に対応するするキーワード（例えば、テレビにめったに出ないタレントの名前）を設定しておいた場合、手動予約が入っていたために千載一遇のチャンスを見逃す場合があった。
【０００５】
本発明の目的は、重要なキーワードを含んで自動的に設定された録り逃したくない自動予約番組と、ユーザの操作によって録画予約が設定された番組とを同時に録画することが出来ない場合であっても、自動予約番組を録画することが可能な放送録画装置および放送録画方法を提供することにある。
【課題を解決するための手段】
【０００６】
本発明の一例に係わる放送録画装置は、放送信号を受信し、受信した放送信号を復調して映像音声信号を出力するチューナ部と、前記チューナ部からの前記映像音声信号を録画する録画部と、キーワードおよび前記キーワードに対応する優先度を含む自動予約設定を記憶する自動予約設定記憶部と、複数の番組の番組情報を含む電子番組表データを取得する番組情報取得部と、前記番組情報取得部によって取得された電子番組表データから前記キーワードに対応する番組情報を有する番組を検索し、検索された自動予約番組の録画の予約を行う自動予約設定部と、操作信号に応じて手動予約番組の予約の設定および優先度の設定を行う手動予約設定部と、自動予約設定部および手動予約設定部で予約が行われた予約設定を保存する予約設定保存部と、前記自動予約設定部および前記手動予約設定部で設定された２つの番組の予約時間が重なって予約された番組の録画が不可能な場合に、前記優先度に応じて前記自動予約設定部および前記手動予約設定部で設定された番組の一方を録画する番組として選択する予約設定確認部とを具備することを特徴とする。
【発明の効果】
【０００７】
重要なキーワードを含んで自動的に設定された録り逃したくない自動予約番組と、ユーザの操作によって録画予約が設定された番組とを同時に録画することが出来ない場合であっても、自動予約番組を録画することが可能になる。
【発明を実施するための最良の形態】
【０００８】
本発明の実施の形態を以下に図面を参照して説明する。
【０００９】
(第１の実施形態)
初めに、図１は、本発明の第1の実施形態に係る放送録画装置の構成の一例を示すブロック図である。放送録画装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ１８を有する。制御部３０は、全体の動作を司るべくデータバスを介して各部に接続されている。
【００１０】
又、放送録画装置１０は、録画側を構成するエンコーダ部２１と、再生側を構成するＭＰＥＧデコーダ部２３と、装置本体の動作を制御する制御部３０とを主たる構成要素としている。放送録画装置１０は、入力側のセレクタ部１６と出力側のセレクタ部１７とを有しており、入力側のセレクタ部１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、放送録画装置１０は、エンコーダ部２１と、エンコーダ部２１の出力を受け、データ編集等の所望のデータ処理を行うデータ編集部２０、データ編集部２０に接続されるハードディスクドライブ１８、光ディスクドライブ部１９を有している。更に、放送録画装置１０は、ハードディスクドライブ１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約制御部４２、予約リストや番組表画像を生成する番組表生成部４３、を有している。これらの各部は、データバスを介して制御部３０に接続されている。更に、セレクタ部１７の出力は、外部の受像機４１に接続されるか、外部装置との通信を行うインタフェース部（Ｉ／Ｆ部）２７を介して、外部装置に供給される。
【００１１】
更に、放送録画装置１０は、データバスを介して制御部３０に接続され、ユーザの操作やリモコンＲの操作を受ける操作部３２を有している。ここで、リモコンは、放送録画装置１０の本体に設けられる操作部３２とほぼ同等の操作を可能とするものであり、ハードディスクドライブ１８や光ディスクドライブ部１９の記録再生指示や、編集指示、又、チューナの操作、予約録画の設定等、各種設定が可能である。
【００１２】
・基本動作
このような構成の放送録画装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１３】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１４】
・記録処理等
次に、このような構成を有する放送録画装置１０の動作を、更に詳細に説明する。初めに、主に記録時の動作について、他の実施形態も含めて詳細に説明する。放送録画装置１０の入力側として、ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１５】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ部１６により、入力が制御されて、エンコーダ部２１に選択的に供給される。
【００１６】
エンコーダ部２１は、セレクタ部１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１７】
又、ＢＳ／ＣＳチューナ部１２等は、必ずしも内蔵されている必要はなく、データ入力端子を介して外付けされて、受信したデジタル信号をセレクタ部１６を介してエンコーダ部２１や制御部３０に供給することも好適である。
【００１８】
ここで図１の装置は、エンコーダ部２１でエンコードされた情報（ビデオ、オーディオ、副映像データなどのパック）及び作成された管理情報を、制御部３０を介してハードディスクドライブ１８又は光ディスクドライブ部１９に供給し、ハードディスクドライブ１８、又は、光ディスクＤに記録することができる。又、ハードディスクドライブ１８、又は、光ディスクＤに記録された情報を、制御部３０、光ディスクドライブ部１９を介して光ディスクＤ、又は、ハードディスクドライブ１８に記録することもできる。
【００１９】
・編集処理等
データ編集部２０により、ハードディスクドライブ１８又は光ディスクＤに記録されている複数番組のビデオ・オブジェクトを、一部削除したり、異なる番組のオブジェクトをつなげたり、といった編集処理を行うこともできる。
【００２０】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２１】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２２】
・予約録画処理
予約制御部の構成を図２に示す。予約制御部４２は、手動予約設定部４２１、自動予約設定部４２２、予約設定保存部４２３、および予約設定確認部４２４を具備する。
【００２３】
手動予約設定部４２１は、通信部１１等から取得した電子番組表データに基づいて、図３に示す電子番組表を用いて、ユーザのリモコンＲ等の操作により特定した番組に応じて、録画予約処理が可能である。ユーザが録画予約処理を行うと図４に示す確認画面が受像機４１に表示される。図４に示す確認画面では、ユーザが優先度を設定するための欄Ｃ１が有る。星印によって優先度が表されている。デフォルトの星印は３個であるが、ユーザがリモコンＲ等を操作することによって、星印の数を変更することが可能である。
【００２４】
また、自動予約設定部４２２は、図５に示すようにユーザが設定したキーワードと電子番組表データに基づいて、自動的に録画予約処理を行う。なお、表示の順番が優先度を表し、優先度が同じものが存在しない。図５はユーザが設定したキーワードの一覧の一部を示す図である。
【００２５】
図６にユーザが自動予約の設定を行うための画面の例を示す。図６に示すように、自動予約設定画面には手動予約の確認画面と同様に優先度を設定するための欄Ｃ２が有る。
【００２６】
手動予約設定部４２１、および自動予約設定部４２２で予約された設定は予約設定保存部４２３に保存される。予約設定保存部には例えば、図７に示すデータ形式で保存される。
【００２７】
予約設定確認部４２４は、予約設定保存部４２３に保存された予約設定を参照して、予約時間が重複する場合に、ユーザが設定した優先度に基づいて予約の変更・取消の処理を行う。
【００２８】
予約制御部４２は、予約された予約録画情報に基づいて、制御部３０及び予約制御部４２の働きにより、予約時刻になると、ＢＳ／ＣＳチューナ部１２又は地上波チューナ部１３が受信した番組情報が復調された映像音声信号が、エンコーダ部２１等のエンコード処理を経て、例えば、ハードディスクドライブ１８に記録（予約録画）される。
【００２９】
（番組情報提供サーバ）
放送録画装置１０に通信部１１等を介して番組情報を提供する番組情報提供サーバＳについて説明する。番組情報提供サーバＳは、放送番組名を識別するための番組識別情報と、この番組識別情報に対応した番組の放送時刻情報（例えば、放送開始時刻と放送時間を含む）とを含む番組情報を入力する番組情報登録部５１と、番組情報登録部５１で入力された番組情報を格納する番組情報格納部５２と、番組情報格納部５２に格納された情報をネットワーク等を介して、所望の端末に送信する通信部５３とを有している。
【００３０】
このような構成を有する番組情報提供サーバＳは、一般に、サービスを提供する組織の施設として設けられるものであり、予め、放送番組と放送番組の番組識別情報と放送時刻情報を含む番組情報がアップロードされている。そして、この番組情報に変更が生じると、即座に番組情報登録部５１により変更情報を入力して、番組情報格納部５２の更新処理を行う。この時、すでに番組情報提供サーバＳに保持された番組情報と同一の番組識別情報をもつ番組情報が入力された場合、番組情報提供サーバＳは、番組情報格納部５２に保持された番組情報を最新のものに置き換えるものである。
【００３１】
番組情報提供サーバＳは、通信部５３を介して、例えばインターネットを中継し、モデムＭを介して、放送録画装置１０に、複数の番組情報を含む番組情報表データを提供するものである。
【００３２】
（予約設定確認）
お任せ自動録画によって予約設定が設定された場合の処理の手順を図８，図９を参照して説明する。お任せ自動録画の設定は、番組表をダウンロードしたときに行われる。なお、以下の処理は手動予約設定が行われた後にも行われる。
【００３３】
先ず、予約設定確認部４２４は、予約設定保存部４２３から設定された手動録画予約設定および自動録画予約設定された全ての予約情報を取得する（ステップＳ１０１）。
【００３４】
次ぎに、一つの対象番組の予約情報を取得する（ステップＳ１０２）。
【００３５】
予約設定確認部４２４は、予約情報の一覧から対象番組の放映時間に重なる番組が予約設定されているか、検索する（ステップＳ１０３）。
【００３６】
対象番組の放映時間と重なる予約設定が無かった場合（ステップＳ１０３のＮｏ）、予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００３７】
対象番組の放映時間と重なる予約設定があった場合（ステップＳ１０３のＹｅｓ）、予約設定確認部４２４は、重なっている重複番組の録画が可能か判定する（ステップＳ１０４）。本装置の場合、チューナが異なれば放映時間が重なる複数の番組を同時に録画することが可能である。
【００３８】
重複番組の録画が可能な場合（ステップＳ１０４のＹｅｓ）、予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００３９】
重複番組の録画が可能ではない場合（ステップＳ１０４のＮｏ）、予約設定確認部４２４は、対象番組の優先度および重複番組の優先度を参照して、対象番組の優先度が重複番組の優先度より高いか判定する（ステップＳ１０５）。
【００４０】
対象番組の優先度が重複番組の優先度より高い場合（ステップＳ１０５のＹｅｓ）、予約設定確認部４２４は、対象番組の予約情報を参照し、重複番組が自動予約されたか判定する（ステップＳ１０６）。
【００４１】
重複番組が自動予約されていた場合（ステップＳ１０６のＹｅｓ）、予約設定確認部４２４は、重複番組の予約を取り消す（ステップＳ１０７）。予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００４２】
重複番組が自動予約されていなかった場合（ステップＳ１０６のＮｏ）、予約設定確認部４２４は、電子番組表データを参照して手動予約された対象番組の再放送があるか判定する（ステップＳ１０８）。重複番組が自動予約ではないというのは、重複番組が手動で予約されたということである。また、手動予約時に、録画予約時間が重なった場合、ユーザに通知し、録画予約時間が重ならないようにするので、重複番組が手動予約されていれば、参照番組は自動予約されたことになる。
【００４３】
自動予約された参照番組の再放送が有る場合（ステップＳ１０８のＹｅｓ）、予約設定確認部４２４は、参照番組の予約を変更する（ステップＳ１０９）。予約の変更を行うには、例えば設定されていた参照番組の予約を取り消してから、参照番組の再放送の予約設定を行う。なお、参照番組の再放送の予約設定をしてから、設定されていた参照番組の予約を取り消しても良い。そして、予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００４４】
自動予約された対象番組の再放送が無かった場合（ステップＳ１０８のＮｏ）、予約設定確認部４２４は、電子番組情報を参照して手動予約された重複番組の再放送があるか判定する（ステップＳ１０９）。
【００４５】
手動予約された重複番組の再放送が有る場合（ステップＳ１０９のＹｅｓ）、予約設定確認部４２４は、重複番組の予約を変更する（ステップＳ１１０）。予約の変更を行うには、例えば設定されていた重複番組の予約を取り消してから、重複番組の再放送の予約設定を行う。なお、重複番組の再放送の予約設定をしてから、設定されていた重複番組の予約を取り消しても良い。
【００４６】
そして、予約設定確認部４２４は、手動で設定された重複番組の録画の予約設定が変更されたことをユーザに通知する（ステップＳ１１２）。ユーザに通知する方法としては、例えば装置に設けられたＬＥＤを点滅させる、または、その旨を登録されているアドレスに対してメールを送信する。そして、予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００４７】
重複番組の再放送が無かった場合（ステップＳ１１０のＮｏ）、予約設定確認部４２４は、自動設定されていた参照番組より優先度が低く、手動予約されていた重複番組の予約を取り消す（ステップＳ１１３）。そして、予約設定確認部４２４は手動予約されていた番組の予約が取り消された旨をユーザに通知する（ステップＳ１１４）。予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００４８】
参照番組の優先度が重複番組の優先度と等しい、若しくは参照番組の優先度が重複番組の優先度より低い場合（ステップＳ１０５のＮｏ）、予約設定確認部４２４は、対象番組の予約情報を参照し、対象番組が自動予約されたか判定する（ステップＳ１１５）。
【００４９】
対象番組が自動予約されていた場合（ステップＳ１１５のＹｅｓ）、予約設定確認部４２４は自動予約されていた対象番組の予約を取り消す（ステップＳ１１６）。そして、予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００５０】
対象番組が手動予約されていた場合（ステップＳ１１５のＮｏ）、予約設定確認部４２４は、電子番組表データを参照して手動予約された重複番組の再放送があるか判定する（ステップＳ１１７）。手動予約された場合、予約時に重複番組が有無がチェックされるので、重複番組は自動予約されたものである。
【００５１】
自動予約された重複番組の再放送が有る場合（ステップＳ１１７のＹｅｓ）、予約設定確認部４２４は、重複番組の予約を変更する（ステップＳ１１８）。予約の変更を行うには、例えば設定されていた重複番組の予約を取り消してから、重複番組の再放送の予約設定を行う。なお、重複番組の再放送の予約設定をしてから、設定されていた重複番組の予約を取り消しても良い。そして、予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００５２】
自動予約された重複番組の再放送が無かった場合（ステップＳ１１７のＮｏ）、予約設定確認部４２４は、電子番組情報を参照して手動予約された参照番組の再放送があるか判定する（ステップＳ１１９）。
【００５３】
手動予約された参照番組の再放送が有る場合（ステップＳ１１９のＹｅｓ）、予約設定確認部４２４は、参照番組の予約を変更する（ステップＳ１２０）。予約の変更を行うには、例えば設定されていた参照番組の予約を取り消してから、参照番組の再放送の予約設定を行う。なお、参照番組の再放送の予約設定をしてから、設定されていた参照番組の予約を取り消しても良い。
【００５４】
そして、予約設定確認部４２４は、手動で設定された参照番組の録画の予約設定が変更されたことをユーザに通知する（ステップＳ１２１）。ユーザに通知する方法としては、例えば装置に設けられたＬＥＤを点滅させる、または、その旨を登録されているアドレスに対してメールを送信する。予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００５５】
手動予約された対象番組の再放送が無かった場合（ステップＳ１１９のＮｏ）、予約設定確認部４２４は、自動設定されていた重複番組より優先度が低く、手動予約されていた対象番組の予約を取り消す（ステップＳ１２２）。そして、予約設定確認部４２４は手動予約されていた番組の予約が取り消された旨をユーザに通知する（ステップＳ１２２）。予約設定確認部４２４は、予約情報の一覧で設定確認を行っていない番組があるか判定する（ステップＳ１３０）。予約の設定確認を行っていない番組が有る場合（ステップＳ１３０のＹｅｓ）、ステップＳＴ１０２に戻って、予約設定確認部４２４は、未確認の番組の対象番組に設定する。未確認の番組が無ければ、予約設定確認部４２４は、予約確認処理を終了する。
【００５６】
上述したように、手動予約の設定に優先度の項目を加え、且つ自動予約の設定に優先度の項目を設け、自動予約設定後に上述した確認処理を行うことによって、手動で予約されず、見逃したくない番組を自動的に予約することができる。
【００５７】
(第２の実施形態)
デジタル放送の場合、スポーツ中継の延長による放映時間の変更を通知することができる。スポーツ番組等の予約録画中に、録画している番組(対象番組)の放映時間の延長が通知された場合の処理について図１０，図１１を参照して説明する。
【００５８】
放送時間の延長は、放送局がデジタルデータ中に延長情報を含むデータを送信することによって通知される。放送録画装置１０のチューナ部１２，１３がデータを受信し、セレクタ部１６から制御部３０に供給される。制御部３０は延長情報を識別し、延長情報を予約制御部４２に供給する。予約制御部４２に延長情報が供給されると、予約制御部４２は、対応する番組の予約の設定を変更する。また、延長に伴い、番組の放映時間が変更される番組もあるが、放映時間の変更を通知する時間変更通知が送信されるので、時間変更通知に応じて番組の予約の設定を変更する。そして、以下の処理を行う。
【００５９】
録画中の番組の放映時間の延長が通知されると、予約設定確認部４２４は、予約設定保存部４２３に保存されている予約一覧を参照し（ステップＳ２０１）、延長した時間に重複する予約があるか判定する（ステップＳ２０２）。
【００６０】
重複する番組（重複番組）がない場合（ステップＳ２０２のＮｏ）、予約設定確認部４２４は、処理を終了する。
【００６１】
重複する番組がある場合（ステップＳ２０２のＹｅｓ）、予約設定確認部４２４は２つの番組を同時に録画することができるか判定する（ステップＳ２０４）。２つの番組を同時に録画することができる場合（ステップＳ２０４のＹｅｓ）、予約設定確認部４２４は、処理を終了する。
【００６２】
２つの番組を同時に録画することが出来ない場合（ステップＳ２０４のＮｏ）、予約設定確認部４２４は対象番組の優先度が重複番組の優先度より高いか判定する（ステップＳ２０５）。対象番組の優先度が高い場合（ステップＳ２０５のＹｅｓ）、予約設定確認部４２４は、重複番組が自動予約された番組かどうか判定する（ステップＳ２０６）。重複番組が自動予約された番組の場合（ステップＳ２０６のＹｅｓ）、予約設定保存部４２３は、重複番組の予約設定を取り消す（ステップＳ２０７）。そして、予約設定確認部４２４は、処理を終了する。
【００６３】
重複番組が自動予約された番組ではない場合（ステップＳ２０６のＮｏ）、予約設定確認部４２４は、電子番組情報を参照して重複番組の再放送があるか判定する（ステップＳ２０９）。重複番組の再放送が有る場合（ステップＳ２０９のＹｅｓ）、予約設定確認部４２４は、重複番組の予約を変更し、再放送を録画予約する（ステップＳ２１０）。予約の変更を行うには、例えば設定されていた重複番組の予約を取り消してから、重複番組の再放送の予約設定を行う。なお、重複番組の再放送の予約設定をしてから、設定されていた重複番組の予約を取り消しても良い。そして、予約設定確認部４２４は、処理を終了する。
【００６４】
重複番組の再放送が無ければ（ステップＳ２０９のＮｏ）、予約設定保存部４２３は、重複番組の予約設定を取り消す（ステップＳ２０１２）。そして、予約設定確認部４２４は、処理を終了する。
【００６５】
ステップＳ２０５において、対象番組の優先度が重複番組の優先度より高くなかった場合（ステップＳ２０５のＮｏ）、予約設定確認部４２４は、対象番組の優先度と重複番組の優先度とが同じか判定する（ステップＳ２１４）。自動録画の場合、星印でユーザに示される優先度の他に、順番による絶対的な優先度が有る。この優先度は重複することがないので、自動録画予約の場合、優先度が同じになることがない。従って、対象番組と重複番組は、手動予約番組と自動予約番組、または手動予約番組と手動予約番組との２つの組み合わせだけである。
【００６６】
対象番組の優先度と重複番組の優先度とが同じ場合（ステップＳ２１４のＹｅｓ）、予約設定確認部４２４は、重複番組が自動予約設定部で予約された番組か判定する（ステップＳ２１５）。重複番組が自動予約番組であった場合（ステップＳ２１５のＹｅｓ）、予約設定確認部４２４は、重複番組の予約設定を取り消す（ステップＳ２１６）。そして、予約設定確認部４２４は、処理を終了する。
【００６７】
重複番組が自動予約番組であった場合（ステップＳ２１５のＹｅｓ）、前述した２つの組み合わせしかないので、対象番組は手動予約番組であることが確認しなくても分かる。手動予約の設定を優先するために、自動予約番組の予約を取り消し、手動予約番組が完全に録画できるように設定を変更する。
【００６８】
重複番組が自動予約番組ではなかった場合（ステップＳ２１５のＮｏ）、予約設定確認部４２４は、対象番組が自動予約番組であるか判定を行う（ステップＳ２１８）。対象番組が自動予約番組であった場合（ステップＳ２１８のＹｅｓ）、手動予約された重複番組を録画するために、延長情報に基づいて対象番組の予約の設定を元に戻して（ステップＳ２２６）、処理を終了する。
【００６９】
対象番組が自動予約番組でなかった場合（ステップＳ２１８のＮｏ）、予約設定確認部４２４は、電子番組情報を参照して重複番組の再放送があるか判定する（ステップＳ２１９）。重複番組の再放送が有る場合（ステップＳ２１９のＹｅｓ）、予約設定確認部４２４は、重複番組の予約を変更し、再放送を録画予約する（ステップＳ２２４）。予約を変更するには、例えば設定されていた重複番組の予約を取り消してから、重複番組の再放送の予約設定を行う。なお、重複番組の再放送の予約設定をしてから、設定されていた重複番組の予約を取り消しても良い。
【００７０】
予約設定確認部４２４は、重複番組の予約を変更したことをユーザに通知する（ステップＳ２２５）。そして、予約設定確認部４２４は、処理を終了する。
【００７１】
重複番組の再放送がなかった場合（ステップＳ２１９のＮｏ）、予約設定確認部４２４は、対象番組および重複番組の予約設定（図７）の予約日時を参照して、対象番組の予約が重複番組より後に行われたかを判定する（ステップＳ２２０）。対象番組の予約が重複番組より後に行われていた場合（ステップＳ２２０のＹｅｓ）、予約設定確認部４２４は、重複番組の予約設定を取消す（ステップＳ２２１）。そして、対象番組の録画時間が変更されたこと、およびユーザに重複番組の予約設定が取り消されたことを通知する（ステップＳ２２２）。そして、予約設定確認部４２４は、処理を終了する。
【００７２】
対象番組の予約が重複番組より後に行われていた場合（ステップＳ２２０のＮｏ）、予約設定確認部４２４は、重複番組を録画するために、延長情報に基づいて対象番組の予約の設定を元に戻す（ステップＳ２２３）。
【００７３】
ステップＳ２１４において、対象番組の優先度が重複番組の優先度と同じではない、即ち対象番組の優先度が重複番組の優先度より低い場合（ステップＳ２１４のＮｏ）、予約設定確認部４２４は、重複番組の再放送が有るか判定する（ステップＳ２２７）。重複番組の再放送がない場合（ステップＳ２２７のＮｏ）、予約設定確認部４２４は、重複番組を録画するために、延長情報に基づいて対象番組の予約の設定を元に戻して（ステップＳ２３０）、処理を終了する。
【００７４】
重複番組の再放送が有る場合（ステップＳ２２７のＹｅｓ）、予約設定確認部４２４は、重複番組の予約を移動する（ステップＳ２２８）。予約を移動するには、例えば設定されていた重複番組の予約を取り消してから、重複番組の再放送の予約設定を行う。なお、重複番組の再放送の予約設定をしてから、設定されていた重複番組の予約を取り消しても良い。そして、予約設定確認部４２４は、対象番組を完全に録画するために、延長情報に含まれる延長時間基づいて対象番組の録画時間の設定を変更する（ステップＳ２２９）。
【００７５】
上述したように、優先度に応じて予約の設定を変更することによって、スポーツ中継等の番組の放映時間が延長されても録り逃したくない番組の予約を行うことができる。
【００７６】
(第３の実施形態)
デジタル放送の場合、スポーツ中継の延長による放映時間の変更を通知することができる。スポーツ番組等の放映時間の延長によって、放映時間が変更された場合の処理について説明する。
【００７７】
放送時間の変更は、放送局がデジタルデータ中に時間変更情報を含むデータを送信することによって通知される。放送録画装置１０のチューナ部１２，１３がデータを受信し、セレクタ部１６から制御部３０に供給される。制御部３０は時間変更情報を識別し、時間変更情報を予約制御部４２に供給する。予約制御部４２に時間変更情報が供給されると、予約制御部４２は、対応する番組の予約の設定を変更する。そして、以下の処理を行われる。処理の手順を図１２〜図１５を参照して説明する。
【００７８】
録画中の番組の放映時間の延長が通知されると、予約設定確認部４２４は、予約設定保存部４２３に保存されている予約一覧を参照し（ステップＳ３０１）、延長した時間に重複する予約があるか判定する（ステップＳ３０２）。
【００７９】
重複する番組（重複番組）がない場合（ステップＳ３０２のＮｏ）、予約設定確認部４２４は、処理を終了する。
【００８０】
重複する番組がある場合（ステップＳ３０２のＹｅｓ）、予約設定確認部４２４は２つの番組を同時に録画することができるか判定する（ステップＳ３０４）。２つの番組を同時に録画することができる場合（ステップＳ３０４のＹｅｓ）、予約設定確認部４２４は、処理を終了する。
【００８１】
２つの番組を同時に録画することが出来ない場合（ステップＳ３０４のＮｏ）、予約設定確認部４２４は対象番組の優先度が重複番組の優先度より高いか判定する（ステップＳ３０５）。対象番組の優先度が高い場合（ステップＳ３０５のＹｅｓ）、予約設定確認部４２４は、重複番組が自動予約された番組かどうか判定する（ステップＳ３０６）。重複番組が自動予約された番組の場合（ステップＳ３０６のＹｅｓ）、予約設定保存部４２３は、重複番組の予約設定を取り消す（ステップＳ３０７）。そして、予約設定確認部４２４は、処理を終了する。
【００８２】
重複番組が自動予約された番組ではない場合（ステップＳ３０６のＮｏ）、予約設定確認部４２４は、電子番組情報を参照して重複番組の再放送があるか判定する（ステップＳ３０９）。重複番組の再放送が有る場合（ステップＳ３０９のＹｅｓ）、予約設定確認部４２４は、重複番組の予約を変更し、再放送を録画予約する（ステップＳ３１０）。予約の変更を行うには、例えば設定されていた重複番組の予約を取り消してから、重複番組の再放送の予約設定を行う。なお、重複番組の再放送の予約設定をしてから、設定されていた重複番組の予約を取り消しても良い。そして、予約設定確認部４２４は、処理を終了する。
【００８３】
重複番組の再放送が無ければ（ステップＳ３０９のＮｏ）、予約設定保存部４２３は、重複番組の予約設定を取り消す（ステップＳ３０１２）。そして、予約設定確認部４２４は、処理を終了する。
【００８４】
ステップＳ３０５において、対象番組の優先度が重複番組の優先度より高くなかった場合（ステップＳ３０５のＮｏ）、予約設定確認部４２４は、対象番組の優先度と重複番組の優先度とが同じか判定する（ステップＳ３１４）。自動録画の場合、星印でユーザに示される優先度の他に、順番による絶対的な優先度が有る。この優先度は重複することがないので、自動録画予約の場合、優先度が同じになることがない。従って、対象番組と重複番組は、手動予約番組と自動予約番組、または手動予約番組と手動予約番組との２つの組み合わせだけである。
【００８５】
対象番組の優先度と重複番組の優先度とが同じ場合（ステップＳ３１４のＹｅｓ）、予約設定確認部４２４は、重複番組が自動予約設定部で予約された番組か判定する（ステップＳ３１５）。重複番組が自動予約番組であった場合（ステップＳ３１５のＹｅｓ）、予約設定確認部４２４は、重複番組の予約設定を取り消す（ステップＳ３１６）。そして、予約設定確認部４２４は、処理を終了する。
【００８６】
重複番組が自動予約番組であった場合（ステップＳ３１５のＹｅｓ）、前述した２つの組み合わせしかないので、対象番組は手動予約番組であることが確認しなくても分かる。手動予約の設定を優先するために、自動予約番組の予約を取り消し、手動予約番組が完全に録画できるように設定を変更する。
【００８７】
重複番組が自動予約番組ではなかった場合（ステップＳ３１５のＮｏ）、予約設定確認部４２４は、対象番組が自動予約番組であるか判定を行う（ステップＳ３１８）。対象番組が自動予約番組であった場合（ステップＳ３１８のＹｅｓ）、手動予約された重複番組を録画するために、延長情報に基づいて対象番組の予約の設定を元に戻して（ステップＳ３１６）、処理を終了する。
【００８８】
対象番組が自動予約番組でなかった場合（ステップＳ３１８のＮｏ）、予約設定確認部４２４は、電子番組情報を参照して重複番組の再放送があるか判定する（ステップＳ３１９）。重複番組の再放送が有る場合（ステップＳ３１９のＹｅｓ）、予約設定確認部４２４は、重複番組の予約を変更し、再放送を録画予約する（ステップＳ３２１）。予約を変更するには、例えば設定されていた重複番組の予約を取り消してから、重複番組の再放送の予約設定を行う。なお、重複番組の再放送の予約設定をしてから、設定されていた重複番組の予約を取り消しても良い。
【００８９】
予約設定確認部４２４は、重複番組の予約が変更したことをユーザに通知する（ステップＳ３２３）。そして、予約設定確認部４２４は、処理を終了する。
【００９０】
重複番組の再放送がなかった場合（ステップＳ３１９のＮｏ）、電子番組情報を参照して対象番組の再放送があるか判定する（ステップＳ３２４）。対象番組の再放送が有る場合（ステップＳ３２４のＹｅｓ）、予約設定確認部４２４は、対象番組の予約を変更し、再放送を録画予約する（ステップＳ３２５）。予約を変更するには、例えば設定されていた重複番組の予約を取り消してから、重複番組の再放送の予約設定を行う。なお、重複番組の再放送の予約設定をしてから、設定されていた重複番組の予約を取り消しても良い。
【００９１】
予約設定確認部４２４は、重複番組の予約が変更したことをユーザに通知する（ステップＳ３２６）。そして、予約設定確認部４２４は、処理を終了する。
【００９２】
対象番組の再放送が無かった場合（ステップＳ３２４のＮＯ）、２つ番組、対象番組および重複番組の録画開始時間が同じか判定する（ステップＳ３２７）。２つの番組の録画開始時間が異なる場合（ステップＳ３２７のＮｏ）、予約設定確認部４２４は、対象番組および重複番組の予約設定（図７）の録画開始時間を参照して、対象番組が重複番組より後に録画が開始されるかを判定する（ステップＳ３２８）。対象番組が重複番組より先に録画が開始される場合（ステップＳ２３８のＹｅｓ）、予約設定確認部４２４は、重複番組の予約を取り消す（ステップＳ３２９）。そして、予約設定確認部４２４は、重複番組の予約が取り消されたことを通知する（ステップＳ３３０）。
【００９３】
対象番組が重複番組より後に録画が開始される場合（ステップＳ２３８のＮｏ）、予約設定確認部４２４は、対象番組の予約を取り消す（ステップＳ３３１）。そして、予約設定確認部４２４は、対象番組の予約が取り消されたことを通知する（ステップＳ３３２）。
【００９４】
録画開始時間が同じ場合（ステップＳ３２７のＹｅｓ）、予約設定確認部４２４は、対象番組および重複番組の予約設定（図７）の予約日時を参照して、対象番組との予約が重複番組より後に行われたかを判定する（ステップＳ３３３）。
【００９５】
対象番組の予約が重複番組より後に行われていた場合（ステップＳ３３３のＹｅｓ）、予約設定確認部４２４は、重複番組の予約設定を取消す（ステップＳ３３４）。そして、予約設定確認部４２４は、ユーザに重複番組の予約設定が取り消されたことを通知する（ステップＳ３２５）。そして、予約設定確認部４２４は、処理を終了する。
【００９６】
対象番組の予約が重複番組より後に行われていた場合（ステップＳ３３３のＮｏ）、予約設定確認部４２４は、対象番組の予約を取り消す（ステップＳ３３６）。そして、予約設定確認部４２４は、ユーザに対象番組の予約設定が取り消されたことを通知する（ステップＳ３２７）。そして、予約設定確認部４２４は、処理を終了する。
【００９７】
ステップＳ３１４において、対象番組の優先度と重複番組の優先度とが同じではないと判定された場合（ステップＳ３１４のＮｏ）、予約設定確認部４２４は、対象番組が自動予約されたか判定する（ステップＳ３３８）。対象番組が自動予約されていた場合（ステップＳ３３８のＹｅｓ）、予約設定確認部４２４は対象番組の予約設定を取消す（ステップＳ３３９）。そして、予約設定確認部４２４は処理を終了する。
【００９８】
対象番組が自動予約されていなかった場合（ステップＳ３３８のＮｏ）、予約設定確認部４２４は、重複番組の予約設定を参照し、重複番組が自動予約されたかを判別する（ステップＳ３４０）。重複番組が自動予約されていた場合（ステップＳ３４０のＹｅｓ）、予約設定確認部４２４は対象番組の予約設定を取消す（ステップＳ３３９）。
【００９９】
重複番組が自動予約されていなかった場合（ステップＳ３４０のＮｏ）、予約設定確認部４２４は、電子番組情報を参照して対象番組の再放送があるか判定する（ステップＳ３４１）。対象番組の再放送が有る場合（ステップＳ３４１のＹｅｓ）、予約設定確認部４２４は、対象番組の予約を変更し、対象番組の再放送を録画予約する（ステップＳ３４２）。予約を変更するには、例えば設定されていた重複番組の予約を取り消してから、重複番組の再放送の予約設定を行う。なお、重複番組の再放送の予約設定をしてから、設定されていた重複番組の予約を取り消しても良い。
【０１００】
予約設定確認部４２４は、対象番組の予約が変更したことをユーザに通知する（ステップＳ３４３）。そして、予約設定確認部４２４は、処理を終了する。
【０１０１】
対象番組の再放送が無かった場合（ステップＳ３４１のＮＯ）、予約設定確認部４２４は、電子番組情報を参照して重複番組の再放送があるか判定する（ステップＳ３４４）。対象番組の再放送が有る場合（ステップＳ３４４のＹｅｓ）、予約設定確認部４２４は、重複番組の予約を変更し、重複番組の再放送を録画予約する（ステップＳ３４５）。予約を変更するには、例えば設定されていた重複番組の予約を取り消してから、重複番組の再放送の予約設定を行う。なお、重複番組の再放送の予約設定をしてから、設定されていた重複番組の予約を取り消しても良い。
【０１０２】
予約設定確認部４２４は、重複番組の予約を変更したことをユーザに通知する（ステップＳ３４６）。そして、予約設定確認部４２４は、処理を終了する。
【０１０３】
重複番組の再放送がなかった場合（ステップＳ３４４のＮｏ）、予約設定確認部４２４は、参照番組の予約設定を取り消す（ステップＳ２３７）。そして、予約設定確認部４２４は、対象番組の予約を取り消したことをユーザに通知する（ステップＳ３４８）。そして、予約設定確認部４２４は、処理を終了する。
【０１０４】
上述したように、優先度に応じて予約の設定を変更することによって、放映時間が変更されても録り逃したくない番組の予約を行うことができる。
【０１０５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１０６】
【図１】第１の実施形態に係わる放送録画装置の概略を示すブロック図。
【図２】図１に示す放送録画装置の予約制御部の構成を示す図。
【図３】本発明の第１の実施形態に係わる電子番組表の一例を示す図。
【図４】ユーザが録画予約処理を行った場合に示される確認画面の一例を示す図。
【図５】ユーザが設定したキーワードの一覧の一部を示す図。
【図６】自動予約の設定を行うための画面の一例を示す図。
【図７】予約設定保存部に保存される予約設定のデータ形式の一例を示す図。
【図８】第１の実施形態に係わる予約設定が設定された場合の処理の手順を示すフローチャート。
【図９】第１の実施形態に係わる予約設定が設定された場合の処理の手順を示すフローチャート。
【図１０】第２の実施形態に係わる録画している番組の放映時間の延長が通知された場合の処理の手順を示すフローチャート。
【図１１】第２の実施形態に係わる録画している番組の放映時間の延長が通知された場合の処理の手順を示すフローチャート。
【図１２】第３の実施形態に係わる放映時間が変更された場合の処理の手順を示すフローチャート。
【図１３】第３の実施形態に係わる放映時間が変更された場合の処理の手順を示すフローチャート。
【図１４】第３の実施形態に係わる放映時間が変更された場合の処理の手順を示すフローチャート。
【図１５】第３の実施形態に係わる放映時間が変更された場合の処理の手順を示すフローチャート。
【符号の説明】
【０１０７】
１０…放送記録装置，１１…通信部，１２…衛星放送チューナ部，１３…地上波チューナ部，１６…セレクタ部，１７…セレクタ部，１８…ハードディスクドライブ，１９…光ディスクドライブ部，２０…データ編集部，２１…エンコーダ部，２２…バッファ部，２３…ＭＰＥＧデコーダ部，２７…インタフェース部，２８…多重化部，２９…分離部，３０…制御部，３２…操作部，４１…受像機，４２…予約制御部，４３…番組表生成部，５１…番組情報登録部，５２…番組情報格納部，５３…通信部，４２１…手動予約設定部，４２２…手動予約設定部，４２３…予約設定保存部，４２４…予約設定確認部
【図１】
2006324777.tif 000003
【図２】
2006324777.tif 000004
【図３】
2006324777.tif 000005
【図４】
2006324777.tif 000006
【図５】
2006324777.tif 000007
【図６】
2006324777.tif 000008
【図７】
2006324777.tif 000009
【図８】
2006324777.tif 000010
【図９】
2006324777.tif 000011
【図１０】
2006324777.tif 000012
【図１１】
2006324777.tif 000013
【図１２】
2006324777.tif 000014
【図１３】
2006324777.tif 000015
【図１４】
2006324777.tif 000016
【図１５】
2006324777.tif 000017